(57)【特許請求の範囲】
【請求項１】
両開きドアの召合わせ面のそれぞれに上下方向に延びる案内溝を設け、一方の案内溝に上下方向に長いシール支持体を、他方の案内溝に上下方向に長いシール受け部材を組込み、上記シール支持体およびシール受け部材のそれぞれに表面から裏面に貫通する複数のねじ孔を形成し、各ねじ孔にねじ係合した調整ねじのねじ孔からドア内部側に突出する先端部を回転自在に支持し、前記シール支持体の表面には上下方向に延びる帯状の２枚のシール部材を取付け、前記シール受け部材には各シール部材の先端縁が単独に弾性接触する一対の凸円状の弧状面を形成した両開きドアの召合わせ部のシール装置。
【発明の詳細な説明】
【０００１】
【発明の属する技術分野】
この発明は、両開きドアの召合わせ部のシール装置に関するものである。
【０００２】
【従来の技術】
この種のシール装置として、図４に示したものが従来から知られている。このシール装置は、両開きドア２１、２１の召合わせ面に上下方向に延びる案内溝２２を設け、一方の案内溝２２にシール支持体２３を組込み、そのシール支持体２３の表面に取付けた弾性を有するシール部材２４を他方の案内溝２２に組込んだシール受け部材２５の表面に弾性接触させて、召合わせ部をシールしている。
【０００３】
上記のシール装置においては、ドアの寸法精度や組立て精度、あるいはドアの変形によってシール部材の接触圧が変化するため、シール支持体２３、およびシール受け部材２５のそれぞれに調整ねじ２６をねじ係合し、その調整ねじ２６の回動操作によってシール支持体２３とシール受け部材２５とを相対的に移動させてシール部材２４のシール受け部材２５に対する接触圧を調整できるようにしている。
【０００４】
【発明が解決しようとする課題】
ところで、上記シール装置においては、シール支持体２３の表面に設けたシール取付溝２７の底面にねじ孔２８を設け、そのねじ孔２８に調整ねじ２６をねじ係合しているため、シール部材２４の接触圧の調整の都度、シール部材２４を取外して調整ねじ２６を回動させる必要があり、調整に手間がかかるという問題点がある。
【０００５】
また、上記シール装置においては、シール性の向上を図るため、シール部材２４に２条の弾性接触片２９を設け、各接触片２９をシール受け部材２５の表面に弾性接触させるようにしているが、２条の接触片２９が弾性接触する面は、平坦面３０であるため、ドアの開閉時における接触片２９の弾性変形量が大きく、その変形はドア２１、２１の回転抵抗となり、ドア２１、２１の開閉に比較的大きな力を必要とする。
【０００６】
この発明の課題は、シール部材の接触圧の調整が簡単にできるようにすること、およびドアの開閉に要する力の軽減化を図ることを技術的課題としている。
【０００７】
【課題を解決するための手段】
上記の課題を解決するために、この発明においては、両開きドアの召合わせ面のそれぞれに上下方向に延びる案内溝を設け、一方の案内溝に上下方向に長いシール支持体を、他方の案内溝に上下方向に長いシール受け部材を組込み、上記シール支持体およびシール受け部材のそれぞれに表面から裏面に貫通する複数のねじ孔を形成し、各ねじ孔にねじ係合した調整ねじのねじ孔からドア内部側に突出する先端部を回転自在に支持し、前記シール支持体の表面には上下方向に延びる帯状の２枚のシール部材を取付け、前記シール受け部材には各シール部材の先端縁が単独に弾性接触する一対の凸円状の弧状面を形成した構成を採用している。
【０００８】
【発明の実施の形態】
以下、この発明の実施の形態を図１乃至図３に基づいて説明する。
【０００９】
図１に示すように、扉枠１の出入口２を開閉する２枚のドア３ａ、３ｂは、扉枠１の竪枠４に取付けたヒンジ５を中心として回動自在に支持されている。
【００１０】
図２に示すように、ドア３ａ、３ｂの召合わせ面には上下方向に延びる溝６が形成され、各溝６に案内部材７が挿入されている。この案内部材７は、図３に示すビス８の締付けによりドア３ａ、３ｂに固定されている。
【００１１】
案内部材７の表面には上下方向に延びる案内溝９が設けられ、一方の案内部材７の案内溝９にシール支持体１０が組込まれている。また、他方の案内部材７の案内溝９にシール受け部材１１が組込まれている。
【００１２】
シール支持体１０およびシール受け部材１１は上下方向に長く延びている。このシール支持体１０およびシール受け部材１１には表面から背面に貫通する複数のねじ孔１２が上下方向に所要の間隔をおいて設けられ、各ねじ孔１２にねじ係合した調整ねじ１３の一端面に六角レンチが係合可能な角孔１４が設けられている。
【００１３】
調整ねじ１３の他端には小径軸部１５が一体に設けられ、その小径軸部１５は案内部材７に形成された孔１６に挿入されて回転自在に支持され、かつ抜け止めされている。
【００１４】
シート支持体１０の表面にはねじ孔１２を挾む両側に上下方向に延びる２条のシール溝１７が形成され、各シール溝１７に帯状のシール部材１８が挿入されている。
【００１５】
一方、シール受け部材１１には、各シール部材１８と対向する位置に一対の凸円状の弧状面１９が形成され、各弧状面１９にシール部材１８が単独に弾性接触している。
【００１６】
図２はドア３ａ、３ｂの閉鎖状態を示す。同図において上部を屋外とし、下部を屋内とし、ドア３ａ、３ｂのそれぞれが屋外側に回動し得るものであるとすると、２枚のシール部材１８は、対向する弧状面１９の屋外側の側面と弾性接触してドア３ａ、３ｂの召合わせ部をシールしている。
【００１７】
図２に示す状態から、一方のドアを開放すると、屋外側のシール部材１８は弧状面１９から離反すると共に、屋内側のシール部材１８は屋外側の弧状面１９を通過する際、その弧状面１９との接触によって弾性変形し、その変形量もきわめて小さい。
【００１８】
このため、ドアの回転初期における回転抵抗は小さく、ドアを軽い力で開放させることができる。
【００１９】
シール部材１８の接触圧の調整に際しては、ドア３ａ、３ｂを開放し、調整ねじ１３の角孔１４に六角レンチを挿入して、調整ねじ１３を回転させ、シール支持体１０とシール受け部材１１の少なくとも一方を他方に対して移動させる。
【００２０】
ここで、シール支持体１０の移動による接触圧の調整に際し、調整ねじ１３の角孔１４は２枚のシール部材１８間に臨んでいるため、シール部材１８を取外すことなく調整ねじ１３を回動させることができ、調整作業が容易である。
【００２１】
【発明の効果】
以上のように、この発明においては、シール支持体の移動によるシール部材の接触圧の調整に際して、シール部材を取外す必要がないため、簡単に調整することができる。
【００２２】
また、シール支持体に取付けた２枚のシール部材をシール受け部材の表面に設けた凸円状の弧状面にそれぞれ単独に接触させるようにしたので、ドアの開閉時における一方のシール部材の弾性変形量がきわめて小さく、ドアの開閉に要する操作力の軽減化を図ることができる。
【図面の簡単な説明】
【図１】この発明の実施の形態を示す一部切欠正面図
【図２】図１のＩＩ−ＩＩ線に沿った断面図
【図３】図２のＩＩＩ  −ＩＩＩ  線に沿った断面図
【図４】従来のシール装置を示す断面図
【符号の説明】
３ａ、３ｂ  ドア
９  案内溝
１０  シール支持体
１１  シール受け部材
１２  ねじ孔
１３  調整ねじ
１８  シール部材
１９  弧状面
【図１】
0003609501.tif 000002
【図２】
0003609501.tif 000003
【図３】
0003609501.tif 000004
【図４】
0003609501.tif 000005